(57)【要約】【課題】  ゆったりと入浴できる大型の浴槽を設置できることに加え、施工作業の迅速に完了させることができ、しかも、施工コストの低減も図れる浴室脱衣所のリフォーム構造及びリフォーム用ユニットバスを提供すること。【解決手段】  改装室内の出入口Ｄ側に設けられ、上方に脱衣所Ｒが形成される床組み１と；前記改装室内の床組み１に隣接して床板11よりも低いスラブＳ上に、底パネル21、側壁パネル22及び天井パネル23をボックス状に組み立てて設置され、内部に洗い場24と浴槽25とを備える一方、前記浴槽25周囲の一部の側壁パネル22が脱衣所Ｒ側に突き出した形状で、かつ、当該突出部分Ｐの底部が、他の部分よりも高く形成されて床組み１上に配置されるユニットバス２とを含んで構成し、前記ユニットバス２の突出部分Ｐに沿って大型浴槽25を設置可能とした。【選択図】  図１
2011162971.tif 000002
【特許請求の範囲】
【請求項１】
改装室内の出入口Ｄ側に設けられ、上方に脱衣所Ｒが形成される床組み１と；前記改装室内の床組み１に隣接して床板11よりも低いスラブＳ上に、底パネル21、側壁パネル22及び天井パネル23をボックス状に組み立てて設置され、内部に洗い場24と浴槽25とを備える一方、前記浴槽25周囲の一部の側壁パネル22が脱衣所Ｒ側に突き出した形状で、かつ、当該突出部分Ｐの底部が、他の部分よりも高く形成されて床組み１上に配置されるユニットバス２とを含んで構成され、
前記ユニットバス２の突出部分Ｐに沿って大型の浴槽25を設置可能としたことを特徴とする浴室脱衣所のリフォーム構造。
【請求項２】
ユニットバス２の底パネル21が突出部分Ｐで段差形状を成し、かつ、設置される浴槽25が、前記底パネル21の形状に適合した段差部25aを有していることを特徴とする請求項１記載の浴室脱衣所のリフォーム構造。
【請求項３】
ユニットバス２の側壁パネル22に沿って床組み１上に間仕切パネル３が設けられていることを特徴とする請求項１または２に記載の浴室脱衣所のリフォーム構造
【請求項４】
ユニットバス２の下部に床組み１の高さに合わせてユニットバス２の位置を調節できる支持脚27・27…が設けられていることを特徴とする請求項１〜３の何れか一つに記載の浴室脱衣所のリフォーム構造。
【請求項５】
ユニットバス２の突出部分Ｐの底部を支持する補助支持具28が床組み１上に配置されていることを特徴とする請求項１〜４の何れか一つに記載の浴室脱衣所のリフォーム構造。
【請求項６】
改装室内の床組み１に隣接して床組み１よりも低いスラブＳ上に、底パネル21、側壁パネル22及び天井パネル23をボックス状に組み立てて設置され、内部には洗い場24と浴槽25とを備える一方、前記浴槽25周囲の一部の側壁パネル22が脱衣所Ｒ側に突き出した形状で、かつ、当該突出部分Ｐの底部が、他の部分よりも高く形成されて床組み１上に配置されると共に、前記突出部分Ｐに沿って大型の浴槽25が設置されることを特徴とするリフォーム用ユニットバス。
【発明の詳細な説明】
【技術分野】
【０００１】
本発明は、浴室脱衣所のリフォーム構造の改良、詳しくは、ゆったりと入浴できる大型の浴槽を設置することができ、また施工作業の迅速化も可能で、しかも、コスト面でも有利な浴室脱衣所のリフォーム構造、及びリフォーム用ユニットバスに関するものである。
【背景技術】
【０００２】
近年、建て替えよりも低コストで手軽に住宅の内装や設備を一新できるリフォームの人気は依然として高く、特に浴室のリフォームにおいては、脚を曲げてやっと入れる程度の狭い浴槽から、脚を伸ばしてゆったりと入浴できる大きめの浴槽に変更を望む依頼者が多い。
【０００３】
そこで、従来においては、入浴部を斜めに形成して脚を伸ばせるだけの長さを確保できるようにした浴槽も開発されているが(特許文献１参照)、このような浴槽は専用品で高価であるため施工コストが非常に高く付くという不満がある。
【０００４】
また他にも、浴槽の下部を床下まで拡げて脚を伸ばせるようにした浴槽も提案されているが(特許文献２参照)、このような浴槽は、専用品でコストがかかるだけでなく、子供が入浴した際、浴槽の床下部分に子供が潜り込んで溺れる危険性があるため使用上の安全面に問題がある。
【０００５】
一方、上記のような専用品でなく大型サイズの一般的な浴槽を設置する場合には、浴槽自体のコストはそれ程かからないものの、浴室の拡大により隣の脱衣所の床組みを大きく変更する必要があるため、作業の工程数が大幅に増えて施工作業を迅速に終わらせることができなくなるという問題が生じる。
【先行技術文献】
【特許文献】
【０００６】
【特許文献１】特開２００７−１３８３９１号公報（第２−７頁、第１―９図）
【特許文献２】特開２００５−２５３７０７号公報（第２−８頁、第１−８図）
【発明の開示】
【発明が解決しようとする課題】
【０００７】
本発明は、上記の如き問題に鑑みて為されたものであり、その目的とするところは、ゆったりと入浴できる大型の浴槽を設置できることに加え、施工作業の迅速に完了させることができ、しかも、施工コストの低減も図れる浴室脱衣所のリフォーム構造及びリフォーム用ユニットバスを提供することにある。
【課題を解決するための手段】
【０００８】
本発明者が上記課題を解決するために採用した手段を添付図面を参照して説明すれば次のとおりである。
【０００９】
即ち、本発明は、改装室内の出入口Ｄ側に設けられ、上方に脱衣所Ｒが形成される床組み１と；前記改装室内の床組み１に隣接して床板11よりも低いスラブＳ上に、底パネル21、側壁パネル22及び天井パネル23をボックス状に組み立てて設置され、内部に洗い場24と浴槽25とを備える一方、前記浴槽25周囲の一部の側壁パネル22が脱衣所Ｒ側に突き出した形状で、かつ、当該突出部分Ｐの底部が、他の部分よりも高く形成されて床組み１上に配置されるユニットバス２とを含んで構成し、
前記ユニットバス２の突出部分Ｐに沿って大型浴槽25を設置可能とした点に特徴がある。
【００１０】
また本発明では、必要に応じて上記技術的手段に加え、ユニットバス２において、突出部分Ｐが段差形状を成す底パネル21を使用すると共に、この底パネル21の形状に適合した段差部25aを有する浴槽25を設置することにより、ユニットバス２内の空間を有効に利用するという技術的手段を採用することもできる。
【００１１】
また本発明では、必要に応じて上記技術的手段に加え、ユニットバス２の側壁に沿って床組み１上に間仕切パネル３を設けることにより脱衣所Ｒ内の防湿性を高めるという技術的手段を採用することもできる。
【００１２】
そしてまた本発明では、必要に応じて上記技術的手段に加え、ユニットバス２の下部に床組み１の高さに合わせてユニットバス２の位置を調節できる支持脚27・27…を設けるという技術的手段を採用することもできる。
【００１３】
また本発明では、必要に応じて上記技術的手段に加え、ユニットバス２の突出部分Ｐの底部を支持する補助支持具28を床組み１の床板11上に配置するという技術的手段を採用することもできる。
【発明の効果】
【００１４】
本発明では、ユニットバスの浴槽周囲の側壁の一部を外側に突き出した形状として、この突出部分に浴槽を設置可能としたことにより、突出部分の面積の分だけ以前よりも大型の浴槽を使用できるようになるため、リフォーム時に脚を伸ばしてゆったりと入浴できる浴槽を設置することが可能となる。
【００１５】
また、上記ユニットバスの突出部分の底面は他の部分よりも高く形成しているため、この突出部分を床組み上に配置した状態でユニットバスを設置すれば、床組みの形状を変えることなくユニットバスを設置できるため、施工作業を迅速に完了できる。
【００１６】
しかも、上記ユニットバスに使用する浴槽については、専用品でなく一般的な製品を使用できるため、部材費が嵩んで施工コストが高く付くようなことはなく、また一般的な浴槽形状であることから使用時の安全性が損なわれる心配もない。
【００１７】
したがって、本発明により、脚を伸ばして気持ち良く入浴したいという依頼者の要望に応えることができ、また更に施工作業の迅速化および施工コストの低減も実現できる浴室脱衣所のリフォーム構造を提供できることから、本発明の実用的利用価値は頗る高い。
【図面の簡単な説明】
【００１８】
【図１】本発明の実施例１における浴室脱衣所のリフォーム構造を表わす全体上面図である。
【図２】本発明の実施例１における浴室脱衣所のリフォーム構造を表わす説明断面図である。
【図３】本発明の実施例１における浴室脱衣所のリフォーム工程を表わす状態説明図である。
【図４】本発明の実施例１における浴室の使用状態を表わす状態説明図である。
【図５】本発明の実施例２における浴室脱衣所のリフォーム構造を表わす説明断面図である。
【発明を実施するための形態】
【００１９】
『実施例１』
まず本発明の実施例１について、図１から図４に基いて説明する。同図において、符号１で指示するものは床組みであり、符号２で指示するものはユニットバスである。また、符号３で指示するものは間仕切パネルである。
【００２０】
この実施例１では、内壁に囲まれた改装室内の基礎上に、土台や大引き、根太を組み上げ、更に根太上に床板を張り付けて床組み１を構築している（図１、図２参照）。また、上記床組み１は改装室内の出入口Ｄ側にのみ設け、反対側の床組み１を設けない領域には床組み１の床面レベルよりも低いスラブＳを形成している。
【００２１】
そして、上記スラブＳ上には、底パネル21、側壁パネル22及び天井パネル23をボックス状に組み立てて、内部に洗い場24と浴槽25を備えたユニットバス２を設置している。なお、上記ユニットバス２は、浴槽25周囲の側壁パネル22の脱衣所Ｒ側を外側に突き出した形状とし、この突出部分Ｐの底部を他の部分よりも高く形成して、床組み１の床板11上に配置している。
【００２２】
上記のように構成したことにより、ユニットバス２の突出部分Ｐに沿って浴槽25を配置できるようにすれば、図３に示すように脚を伸ばしてゆったりと入浴できる大型の浴槽25を設置することが可能となる。
【００２３】
また、上記ユニットバス１については、突出部分Ｐに隣接する脱衣所Ｒ側の側壁パネル11に開閉扉26を設けて、脱衣所Ｒからユニットバス２内に出入りできるようにしている。また、ユニットバス２の下部には支持脚27・27…を設けて、この支持脚27・27…の長さを調節することでユニットバス２の位置を床組み１の高さに合わせて調整可能としている。
【００２４】
そしてまた、上記ユニットバス２は、底パネル21に突出部分Ｐが段差形状を成すものを使用し、更に浴槽25には底パネル21の形状に適合する段差部25aを備えたものを使用することにより、ユニットバス２内の空間を有効に利用している。しかも、浴槽25の段差部25aについては、半身浴や入浴時の脚乗せにも利用できる。
【００２５】
また実施例１では、ユニットバス２の突出部分Ｐと床組み１との間に隙間が生じることとなるが、突出部分Ｐの側壁パネル11に沿って間仕切パネル３を床組み１上に設けることにより、ユニットバス２の下部から脱衣所Ｒへの湿気の侵入を防ぐことができる。
【００２６】
次に、上記床組み１及びユニットバス２を施工する方法について説明する。まず図４(a)に示すリフォーム前の状態から図４(b)に示すように浴室を取り壊して、脱衣所の床板等を張り替え床組み１を形成する。その後、図４(c)に示すように、改装室内のスラブ上にユニットバス２を設置した後、図４(d)に示すようにユニットバス２の側壁に沿って床組み１上に間仕切パネル３を設けて施工作業を完了する。
【００２７】
なお、上記浴室側のスラブＳに関しては、住宅の基礎がベタ基礎であればそのまま基礎スラブを利用できるが、住宅基礎が布基礎である場合には、コンクリートを打設する等してスラブＳを形成する。
【００２８】
このように、リフォーム前の床組み１の形状を変えずにユニットバス１を設置するだけでよいため、施工作業を迅速に完了することができる。しかも、上記ユニットバス２に使用する浴槽25は、専用品でなくてもよいため施工コストが嵩むこともない。
【００２９】
『実施例２』
次に、本発明の実施例２について図５に基いて以下に説明する。実施例２では、ユニットバス２の突出部分Ｐを実施例１よりも長めに設計する一方、この突出部分Ｐの底部を支持する補助支持具28を床組み１上に配置することによりユニットバス２が不安定にならないようにしている(図５参照)。
【００３０】
また、実施例２では、床組み１の床板11との間に隙間が生じないようにユニットバス２の側壁パネル11を設けているため、間仕切パネルを設けなくとも脱衣所Ｒ側の気密性は保たれる。
【００３１】
本発明は、概ね上記のように構成されるが、本発明は図示の実施形態に限定されるものでは決してなく、「特許請求の範囲」の記載内において種々の変更が可能であって、例えば、ユニットバス２の突出部分Ｐの形状については、角形でなくとも浴槽25の形状に合わせた円弧状等であってもよい。
【００３２】
また、ユニットバス２の位置調節機構や支持構造については、実施例以外の他の構造を採用することもでき、何れのものも本発明の技術的範囲に属する。
【産業上の利用可能性】
【００３３】
最近では、オール電化住宅の浸透によりキッチンやバスルーム等のリフォームが増加しており、依頼者側の生活に支障をきたさない施工性の良いリフォーム工法が求められている。また、古い住宅などでは浴室・脱衣所の面積が狭いものが多く、この限られた範囲で広い浴槽を設置するためには空間を有効に利用した技術が必要となる。
【００３４】
そのような中で、本発明の浴室脱衣所のリフォーム構造及びリフォーム用ユニットバスは、リフォーム前よりも広い浴槽を無理なく設置できる上に、施工性にも優れた有用な技術であることから、その産業上の利用価値は非常に高い。
【符号の説明】
【００３５】
１  床組み
11  床板
２  ユニットバス
21  底パネル
22  側壁パネル
23  天井パネル
24  洗い場
25  浴槽
25a  段差部
26  開閉扉
27  支持脚
28  補助支持具
３  間仕切パネル
Ｄ  出入口
Ｒ  脱衣所
Ｓ  スラブ
Ｐ  突出部分
【図１】
2011162971.tif 000003
【図２】
2011162971.tif 000004
【図３】
2011162971.tif 000005
【図４】
2011162971.tif 000006
【図５】
2011162971.tif 000007